(57)【要約】【課題】  デジタル画像を対象物像上に表示するための技術を提供する。【解決手段】  基準点位置を参照品目のデジタル画像テンプレート上に定義することと、参照品目を対象物に身に付けさせることと、対象物が身に付けた参照品目の画像を取り込むことと、非参照品目のデジタル画像テンプレート上の位置を撮像画像の基準点の配置位置にマッピングして編集された非参照デジタル画像を生成することと、編集されたデジタル画像を対象物が身に付けた参照品目上に表示することと、を含む、デジタル画像を対象物像上に表示するための技術が開示される。
2018500647.tif 000002
【特許請求の範囲】
【請求項１】
対象物上にデジタル画像を表示する方法であって、参照品目のデジタル画像テンプレート上に基準点位置を定義することと、参照品目を対象物に身に付けさせることと、対象物が身に付けた参照品目の画像を取り込むことと、非参照品目のデジタル画像テンプレート上の位置を、前記取り込んだ画像の基準点の配置位置にマッピングして、編集された非参照デジタル画像を生成することと、前記編集されたデジタル画像を、前記対象物が身に付けた参照品目上に表示することと、を含む、方法。
【請求項２】
前記対象物像は、前記対象物の撮像画像であり、前記編集された非参照デジタル画像を前記撮像画像上に表示する、請求項１に記載の方法。
【請求項３】
前記対象物像は、前記対象物自体であり、前記編集された非参照デジタル画像を前記対象物に投影する、請求項１に記載の方法。
【請求項４】
前記マッピングするステップが、前記撮像画像上の基準点位置を検出することと、前記位置を配置点にマッピングすることとを含み、カタログ品目の前記デジタル画像テンプレート上の対応する点が、前記関連する配置点にマッピングされて前記対象物像上に表示するための前記非参照画像を編集する、請求項１に記載の方法。
【請求項５】
前記編集されたデジタル画像を前記対象物が身に付けた参照品目上に表示する前記ステップは、前記編集されたデジタル画像を前記対象物が身に付けた参照品目の撮像画像と組み合わせることをさらに含む、請求項１〜４のいずれか１項に記載の方法。
【請求項６】
前記編集されたデジタル画像と前記撮像画像は、それらをデジタル的に合成することによって組み合わされる場合、前記組み合わせた画像が、バーチャルリアリティ上の鏡に表示される、請求項５に記載の方法。
【請求項７】
前記編集されたデジタル画像と前記撮像画像は、それらをデジタル的に合成することによって組み合わされる場合、前記組み合わせた画像が、コンピュータディスプレイ上に表示される、請求項５に記載の方法。
【請求項８】
前記編集されたデジタル画像を前記対象物が身に付けた参照品目上に表示する前記ステップは、前記編集されたデジタル画像を前記対象物が身に付けた参照品目上に投影することをさらに含む、請求項１に記載の方法。
【請求項９】
前記画像を取り込むことは、前記参照品目に関する情報を取り込むことを含む、請求項１〜８のいずれか１項に記載の方法。
【請求項１０】
前記デジタル画像を編集することは、前記参照品目に関する撮像情報に応じて前記デジタル画像を編集することを含む、請求項９に記載の方法。
【請求項１１】
前記参照品目は衣服であり、前記撮像情報が、前記衣服の素材を含む、請求項９または請求項１０に記載の方法。
【請求項１２】
前記画像を取り込むことは、前記対象物の参照品目の着用に関する情報を取り込むことを含む、請求項１〜１１のいずれか１項に記載の方法。
【請求項１３】
前記デジタル画像を編集することは、前記対象物の参照品目の着用に関する撮像情報に応じて前記デジタル画像を編集することを含む、請求項１２に記載の方法。
【請求項１４】
前記情報は、照明情報を含む、請求項１２または請求項１３に記載の方法。
【請求項１５】
前記情報は、対象物が身に付けた参照品目の前記照明情報を含む、請求項１４に記載の方法。
【請求項１６】
前記参照品目は衣服品目であり、前記情報は対象物上の衣服の電飾の照明情報を含む、請求項１５に記載の方法。
【請求項１７】
前記画像を取り込むことは、前記参照品目の内容に関する情報を取り込むことを含む、請求項１〜１６のいずれか１項に記載の方法。
【請求項１８】
前記デジタル画像を編集することは、対象物に対する参照品目の内容に関する撮像情報に応じて前記デジタル画像を編集することを含む、請求項１７に記載の方法。
【請求項１９】
前記情報は、輝度情報を含む、請求項１７または請求項１８に記載の方法。
【請求項２０】
前記デジタル画像の像が表示されると、前記編集された画像が適切に点灯する、請求項１９に記載の方法。
【請求項２１】
前記対象物が身に付けた前記参照品目の静止画を取り込むことを含む、請求項１〜２０のいずれか１項に記載の方法。
【請求項２２】
前記対象物は静止している、請求項２１に記載の方法。
【請求項２３】
前記編集されたデジタル画像を前記対象物が身に付けた参照品目上に表示することは、前記編集されたデータ画像を静止画として取り込んだ画像上に表示することを含む、請求項２１または請求項２２に記載の方法。
【請求項２４】
前記対象物が身に付けた前記参照品目の動画を取り込むことを含む、請求項１〜２３のいずれか１項に記載の方法。
【請求項２５】
前記対象物は動いている、請求項２４に記載の方法。
【請求項２６】
前記画像は、前記対象物の動きに従ってリアルタイムで適応される、請求項２５に記載の方法。
【請求項２７】
前記編集されたデジタル画像を前記対象物が身に付けた参照品目上に表示することは、動画として編集されたデータ画像を、動画として取り込んだ画像上に動画として表示することを含む、請求項２５または請求項２６に記載の方法。
【請求項２８】
撮像画像を保存することを含む、請求項１〜２７のいずれか１項に記載の方法。
【請求項２９】
前記編集されたデジタル画像を前記対象物が身に付けた参照品目上に表示することは、保存された撮像画像を読み出すことと、前記編集された撮像画像を、読み出された保存された撮像画像上に表示することとを含む、請求項２８に記載の方法。
【請求項３０】
前記対象物は人物である、請求項１〜２９のいずれか１項に記載の方法。
【請求項３１】
前記参照品目は衣服である、請求項１〜３０のいずれか１項に記載の方法。
【請求項３２】
対象物像上にデジタル画像を表示するシステムであって、参照品目のデジタル画像テンプレート上に基準点位置を定義し、前記参照品目を対象物に身に付けさせ、対象物が身に付けた参照品目の画像を取り込み、非参照品目のデジタル画像テンプレート上の位置を、前記撮像画像の基準点の配置位置にマッピングして、編集された非参照デジタル画像を生成し、前記編集されたデジタル画像を、前記対象物が身に付けた参照品目上に表示するよう構成される、システム。
【請求項３３】
前記対象物像は、前記対象物の撮像画像であり、前記編集された非参照デジタル画像が、前記撮像画像上に表示されるようさらに構成される、請求項３２に記載のシステム。
【請求項３４】
前記対象物像は、対象物自体であり、前記編集された非参照デジタル画像が、前記対象物上に投影されるようさらに構成される、請求項３２に記載のシステム。
【請求項３５】
前記マッピングするステップは、前記撮像画像上の基準点位置を検出することと、前記位置を配置点にマッピングすることとを含み、カタログ品目の前記デジタル画像テンプレート上の対応する点が、前記関連する配置点にマッピングされて前記対象物像上に表示するための前記非参照画像を編集するようさらに構成される、請求項３２に記載のシステム。
【請求項３６】
実質的に本明細書に記載の、または図面のいずれか一つに示す、方法。
【請求項３７】
本明細書に記載の、または図面のいずれか一つに示す、システム。
【発明の詳細な説明】
【技術分野】
【０００１】
本発明は、対象物像上にデジタル画像を表示することに関し、特に、人物上へ衣服のデザインを示すデジタル画像を表示することに関するが、これに限定されない。
【背景技術】
【０００２】
対象物像上へのデジタル画像の表示を提供することが知られている。たとえば、衣服のデジタル画像を、人物の画像上へと表示させることができる。
【０００３】
衣服のデジタル画像を人物の画像上に表示することなど、画像を対象物像上へ表示することに伴う問題は、結果として表示された画像が本物に見えるように表示を容易にすることである。たとえば、画像の理想的な像とは、対象物像上に表示される場合、対象物が特定の方法で画像を「身に付けている」ということを反映するためには正確である必要はない。たとえば、衣服の場合、表示された画像は、人物がある衣服を着用していることを反映する必要があり、その衣服は、それをどのように着用するのかによって調整される。
【発明の概要】
【０００４】
そこで、本発明は、対象物上にデジタル画像を表示するための改良技術を提供することを目的とする。
【０００５】
デジタル画像を対象物像上に表示する方法は、基準点位置を参照品目のデジタル画像テンプレート上に定義することと、参照品目を対象物に身に付けさせることと、対象物が身に付けた参照品目の画像を取り込むことと、非参照品目のデジタル画像テンプレート上の位置を取り込んだ画像の基準点の配置位置にマッピングして編集された非参照デジタル画像を生成することと、編集された非参照デジタル画像を対象物が身に付けた参照品目上に表示することと、を含む。
【０００６】
対象物像は、対象物の撮像画像であってもよく、編集された非参照デジタル画像は、撮像画像上に表示される。
【０００７】
対象物像は、対象物であってもよく、編集された非参照デジタル画像は、対象物上に投影される。
【０００８】
マッピングするステップは、取り込んだ画像上の基準点位置を検出することと、その位置を配置点にマッピングすることとを含み、非参照品目のデジタル画像テンプレート上の対応する点は、関連する配置点にマッピングされて対象物像上に表示するために非参照画像を編集する。
【０００９】
非参照デジタル画像は、カタログデジタル画像であってもよい。
【００１０】
編集されたデジタル画像を対象物像が身に付けた参照品目上に表示することは、編集されたデジタル画像を対象物が身に付けた参照品目の撮像画像と組み合わせることをさらに含んでもよい。編集されたデジタル画像と撮像画像は、それらをデジタル的に合成することによって組み合わせてもよい。編集されたデジタル画像と撮像画像は、それらをデジタル的に合成することによって組み合わされる場合、組み合わせた画像は、バーチャルリアリティ上の鏡に表示されてもよい。編集されたデジタル画像と撮像画像は、それらをデジタル的に合成することによって組み合わされる場合、組み合わせた画像は、コンピュータディスプレイ上に表示されてもよい。
【００１１】
編集されたデジタル画像を対象物が身に付けた参照品目上に表示することは、編集されたデジタル画像を対象物が身に付けた参照品目上に投影することをさらに含んでもよい。
【００１２】
画像を取り込むことは、参照品目に関する情報を取り込むことを含んでもよい。次に、デジタル画像を編集することは、参照品目に関する撮像情報に応じてデジタル画像を編集することを含む。参照品目が衣服である場合、撮像情報は、衣服の素材を含んでもよい。
【００１３】
画像を取り込むことは、参照品目を身に付けた対象物に関する情報を取り込むことを含んでもよい。次に、デジタル画像を編集することは、参照品目を身に付けた対象物に関する撮像情報に応じてデジタル画像を編集することを含んでもよい。情報は、照明情報を含んでもよい。情報は、対象物が身に付けた参照品目の照明情報を含んでもよい。参照品目が衣服である場合、情報は、対象物上の衣服の照明情報および／または電飾情報を含んでもよい。
【００１４】
画像を取り込むことは、参照品目の内容に関する情報を取り込むことを含んでもよい。次に、デジタル画像を編集することは、対象物に対する参照品目の内容に関する撮像情報に応じてデジタル画像を編集することを含む。当該情報は、輝度情報を含む。デジタル画像上に像が表示されると、編集された画像は、適切に点灯する。
【００１５】
方法は、対象物が身に付けた参照品目の静止画を取り込むことを含んでもよい。対象物は、静止していてもよい。編集されたデジタル画像を対象物が身に付けた参照品目上に表示することは、編集されたデータ画像を静止画として取り込んだ画像上に表示することを含んでもよい。
【００１６】
方法は、対象物が身に付けた参照品目の動画を取り込むことを含んでもよい。対象物は、動いていてもよい。画像は、対象物の動きに従ってリアルタイムで適応させてもよい。編集されたデジタル画像を対象物が身に付けた参照品目上に表示することは、動画として編集されたデータ画像を動画として取り込んだ画像上に、動画として表示することを含んでもよい。
【００１７】
画像は、リアルタイムで取り込み適応させてもよいし、予め描画してもよい。
【００１８】
方法は、撮像画像を保存することを含んでもよい。編集されたデジタル画像を対象物が身に付けた参照品目上に表示することは、保存された撮像画像を読み出すことと、編集された撮像画像を、読み出された保存された撮像画像上に表示することとを含んでもよい。
【００１９】
対象物は、人物であってもよい。
【００２０】
参照品目は、衣服であってもよい。デジタル画像は、衣服のデジタル画像であってもよい。参照品目は、デジタル画像の衣服の種類に対応する種類の衣服であってもよい。たとえば、３つの素材を含む衣服画像は、３つの素材に対して作製された参照品目にマッピングされてもよい。
【００２１】
参照品目は、２つの異なる素材が参照品目の撮像画像上で区別されるように、２つの異なった素材から作製されてもよい。参照品目は、同じ輝度を有する異なった色の素材から作製されてもよい。撮像画像は、表示された画像と組み合わせる前に修正されてもよい。参照品目は、異なった紫外線特性を有する素材から作製されてもよい。撮像画像は、修正する必要がなくてもよい。
【００２２】
システムは、当該方法の特徴とするものを提供するように構成されている。当該システムは、コンピュータシステムであってもよい。
【００２３】
任意の説明された方法を実行するためのコンピュータプログラムコードが提供されてもよい。任意の説明された方法を実行するためのコンピュータプログラムコード保存用のコンピュータプログラム製品が提供されてもよい。コンピュータ製品は、ディスクもしくは記憶装置、またはコンピュータシステムのハードドライブであってもよい。当該方法は、一緒に動作する複数の計算装置のコンピュータプログラムコードによって実施されてもよい。
【００２４】
当該方法は、コンピュータに実装される方法であってもよい。
【図面の簡単な説明】
【００２５】
【図１】デジタル画像用参照マトリックスを示す図である。
【図２】図１のデジタル画像テンプレートに重なって表示された参照品目を示す図である。
【図３】図２の参照品目デジタル画像テンプレートに基づき製造された参照品目を示す図である。
【図４】人物が身に付けた参照品目を示す図である。
【図５】デジタル写真画像の配置マッピングを示す図である。
【図６】図５と同様にデジタル画像テンプレートに適用された図４における身に付けた参照品目の画像を示す図である。
【図７】デジタル画像テンプレート上に提示されるカタログ品目を示す図である。
【図８】図６の参照画像上のカタログ品目の表示を示す図である。
【図９】図７の製造されたカタログ品目を示す図である。
【図１０】例示的なプロセスフローを示す図である。
【図１１】例示的なコンピュータシステム設計を示す図である。
【発明を実施するための形態】
【００２６】
以下、本発明を、特に人物が身に付けた衣服にデジタル画像を表示する技術の適用を参照しながら、例を挙げて説明する。本発明は、当業者には明らかであるように、より広範に適用可能である。
【００２７】
図１は、デジタル画像テンプレート１０を示す。デジタル画像テンプレート１０は、ピクセル配列ｐ1,1〜ｐn,mを有するよう図示される。ピクセル配列のサイズは、具体化に依るものである。
【００２８】
図２は、図２のデジタル画像テンプレートに適用された参照品目を示す。本明細書で説明する例では、参照品目は、衣服である。衣服のパターンは、デジタル画像テンプレートに適用される。符号１２は、衣服の前面部分のパターンを示し、符号１４，１６は、衣服の参照品目の左右の袖を示す。
【００２９】
図２を参照して理解されるように、パターンがデジタル画像テンプレートに適用されると、テンプレートの配列ピクセルは、パターンと一致する。したがって、パターンの各部分は、複数のピクセルに関連付けられる。パターンの部分と一致するピクセル数は、ピクセル配列の密度に依存する。
【００３０】
例として、４つのピクセルが、衣服１２のパターンの前面と一致し、ピクセルＲ1，Ｒ2，Ｒ3およびＲ4として示されていることがわかる。２つのピクセルは、袖パターン１４と一致し、ピクセルＲ5およびＲ6として示されている。２つのピクセルは、袖パターン１６と一致し、Ｒ7およびＲ8として示されている。
【００３１】
参照品目のパターンでは、基準点Ｒ1〜Ｒ8は、パターン上で具体的に識別することができる。図３は、図２のパターンに従って作製された衣服を示し、基準点Ｒ1〜Ｒ8は、衣服の特定の点に位置することがわかる。たとえば、パターンが２つの色で形成される場合、基準点は、品目を生成するために異なる色の素材を使用することにより、図３に示すように衣服上に示されることができ、それにより参照の印を物理的に際立たせる。
【００３２】
図４を参照すると、人物が身に付けた図３の製造された参照品目が示されており、人物は、対象物の一例である。図４からわかるように、基準点Ｒ1〜Ｒ8は、衣服の参照品目上で見ることができる。
【００３３】
図５を参照すると、符号２０として写真画像テンプレートが示されている。ピクセルの配列は、１1,1〜１n,mによって示された、写真画像テンプレートに関連付けられる。写真画像テンプレートの較正基準は、ピクセル１1,1である左上隅、およびピクセル１n,mである右下隅のような、単に画像の１つの隅とすることができる。したがって、図５に示すようなピクセル配列は、座標を写真画像の空間に提供することによって簡単に得ることができる。
【００３４】
図４に示すように、対象物（たとえば人物）が身に付けた、製造された参照品目の写真画像が撮影され、得られた写真画像が図６に示されている。したがって、図６は、写真テンプレートにデジタル的に取り込まれ、身に付けられた参照品目を示す。
【００３５】
図５を参照して理解することができるように、図６に示す結果画像は、ピクセル要素１1,1〜１n,mによって定義された物理的配置システムの座標にマッピングされ得る。したがって、基準点Ｒ1〜Ｒ8の各々は、ピクセル１1,1〜１n,mの１つである画像の物理的配置に位置していると識別することができる。
【００３６】
したがって、基準点は、写真デジタル画像の空間内の配置に、たとえば以下のようにマッピングすることができる。
点Ｒ1は、位置１a,bにマッピングされる。
点Ｒ2は、位置１c,dにマッピングされる。
点Ｒ3は、位置１e,fにマッピングされる。
点Ｒ4は、位置１g,hにマッピングされる。
点Ｒ5は、位置１i,jにマッピングされる。
点Ｒ6は、位置１k,lにマッピングされる。
点Ｒ7は、位置１o,pにマッピングされる。
点Ｒ8は、位置１q,rにマッピングされる。
【００３７】
ユーザは、様々な衣服を示すカタログにアクセスすることができ、カタログは、それらに適用される異なるパターンを有し得る。次に、ユーザは、カタログからパターンを選択することができる。
【００３８】
たとえば、図７は、特定のカタログ品目のデジタル画像テンプレートを示しており、前面部分２２と、腕部分２４ａ，２４ｂとを含む。図７に示すように、円２６を含むパターンが、前面部分２２に適用される。
【００３９】
実際には、ユーザがカタログ品目にアクセスすると、それらはパターン２６が適用されたカタログ品目の前面部分２２を表す画像のような、パターンを表す画像として単に示され得る。
【００４０】
次に、ユーザは、図７に示すようなカタログ品目を選択することができ、次いでカタログ品目は、図７に示すようなカタログ品目のデジタル画像テンプレートを、図４に示すような参照品目を身に付けたデジタル的な撮像画像に適用することによって、ユーザに表示される。
【００４１】
したがって、図８に示すように、カタログ品目は、人物の撮像画像に適用されて示されているが、パターン２６は、人物が衣類を着用した場合を考慮し適切に調整され、デジタル画像の配置点に関連する参照対象物の基準点の配置を考慮する。
【００４２】
図７に示すように、カタログ品目は、デジタル画像テンプレート上に示されており、したがって参照品目に関連付けられるすべての基準点を有する。図７に示すように、カタログ品目のデジタル画像テンプレートは、点Ｒ1〜Ｒ8の参照デジタルテンプレートのピクセル配置に対応するピクセル位置Ｃ1〜Ｃ8を有する。
【００４３】
配置配列１1,1〜１n,mを含む配置システムの基準点Ｒ1〜Ｒ7間の相関に基づいて、次に基準点Ｒ1〜Ｒ8に関連付けられたカタログ品目上の点Ｃ1〜Ｃ8は、人物が着用している衣服に実際に適用される場合の品目の調整を考慮するために、適切な配置点に表示することができる。このようにカタログ品目のデジタル画像が編集される。
【００４４】
カタログ品目の点は、以下のように取り込んだ参照品目にマッピングすることができる。
点Ｃ1は、位置１a,bにマッピングされる点Ｒ1にマッピングされる。
点Ｃ2は、位置１c,dにマッピングされる点Ｒ2にマッピングされる。
点Ｃ3は、位置１e,fにマッピングされる点Ｒ3にマッピングされる。
点Ｃ4は、位置１g,hにマッピングされる点Ｒ4にマッピングされる。
点Ｃ5は、位置１i,jにマッピングされる点Ｒ5にマッピングされる。
点Ｃ6は、位置１k,lにマッピングされる点Ｒ6にマッピングされる。
点Ｃ7は、位置１o,pにマッピングされる点Ｒ7にマッピングされる。
点Ｃ8は、位置１q,rにマッピングされる点Ｒ8にマッピングされる。
【００４５】
図９を参照すると、図７のカタログ品目の製造物が示されており、図７に示すような衣服を人物が着用すると、図９に示すような「正確な」像が、図８に示すような人物が衣服を着用した場合を考慮して編集される像と実際になることがわかる。
【００４６】
したがって、図７に示すようなデジタル画像テンプレートに適用されたカタログ品目に関連付けられたピクセル点は、衣類が図４に示すように着用されると対応する基準点にマッピングされ、デジタル画像の本物のような像が図８に示すように表示されることを可能にする。
【００４７】
また、編集された画像を撮像画像に合わせるためにスケーリングが必要な場合がある。あるいは、当該スケーリングは、マッピングプロセスに固有のものであってもよい。
【００４８】
図４に示すように、衣服を着用している人物のデジタル画像が取り込まれると、追加の情報も取り込まれ得る。衣服の素材など、衣服に関する情報を取り込むことができる。照明情報のような、他の情報を取り込んでもよい。照明情報は、画像が取り込まれるシナリオの照明に関する一般的な情報であってもよいし、人物による衣服の着用に関連付けられた陰影表示に関する照明情報であってもよい。
【００４９】
図８に示すような画像が生成されると、この追加の情報が利用され得る。したがって、画像は、参照ピクセルのマッピングに基づいてだけでなく、衣服類の素材に関する撮像情報および／またはシナリオの照明に関する撮像情報に基づいて編集されてもよい。
【００５０】
図６に示すような撮像画像は、モデルが身に付けた参照衣服の画像を取り込むことができ、ユーザが特定のパターンの図を見るために後でシステムにアクセスすると、パターンは、モデルの画像と組み合わせて表示されるように示され得る。しかし、ユーザは、参照品目を身に付けた自分自身と共に撮影された画像を提供することも可能であり、それによりカタログ品目を自分自身の画像と組み合わせて表示することができる。このような画像は、ユーザが直接提供してもよいし、たとえば店舗訪問時にユーザが撮影してもよい。
【００５１】
説明された例では、編集された画像は、対象物の撮像画像に適用され、それにより編集された画像が実際の対象物ではない対象物像に適用される。説明された例では、編集された画像は、対象物の撮像画像と合成されたものとみなすことができる。
【００５２】
図８に示すような画像の表示は、コンピュータスクリーン上の対象物像（撮像画像）に適用された編集された画像の表示であってもよい。
【００５３】
しかし、当該表示は、他の方法で行われてもよい。
【００５４】
たとえば、カタログ品目の編集された画像は、参照品目を着用している人物に投影することができ、次に表示されたカタログ品目が、鏡に映し出される。この例では、対象物像は、実際の対象物（すなわち、人物）である。このような例は、依然としてカタログ画像を正しく編集するために参照画像を取り込む必要があるが、次に編集された画像は、対象物の画像と合成されるのではなく対象物上に投影される。
【００５５】
画像は、カメラを使用して取り込まれ静止画とすることができるが、ビデオカメラを使用して取り込み動画としてもよい。このようにして、動画としての入力は、参照対象物に適用されたパターンの動画を生成するために動画として利用することができ、それにより図８に示すような画像が、実際に動画となる。
【００５６】
表示された画像が人物上に投影されると、次に人物が移動するときに、動画を人物上に投影することができ、画像の取込みは、ビデオの動きを取り込むことと、次に人物上に表示するための画像をリアルタイムで編集することとを含む。
【００５７】
編集されたデジタル画像を対象物が身に付けた参照品目上に表示することは、編集されたデジタル画像を対象物が身に付けた参照品目の撮像画像と組み合わせることを含んでもよい。次に、編集されたデジタル画像と撮像画像は、それらをデジタル的に合成することによって組み合わせてもよい。
【００５８】
編集されたデジタル画像と撮像画像は、それらをデジタル的に合成することによって組み合わされる場合、組み合わせた画像は、バーチャルリアリティ上の鏡に表示されてもよい。たとえば、人物をバーチャルリアリティ上の鏡の前に配置することができ、次に参照品目を身に付けたその人物の静止画または動画を取り込むことができる。次に、選択されたカタログ品目が選ばれ、したがって上記技術を使用してマッピングされてバーチャルリアリティ上の鏡に表示されるので、人物は鏡を見ることでカタログ品目を着用しているかのように画像を見ることができる。
【００５９】
編集されたデジタル画像と撮像画像は、それらをデジタル的に合成することによって組み合わされる場合、組み合わせた画像は、コンピュータディスプレイ上に表示される。したがって、人物は、撮像画像（動画または静止画）上で見るために、複数のカタログ画像、またはより一般的には非参照画像を選択することができる。
【００６０】
編集されたデジタル画像を対象物が身に付けた参照品目上に表示することは、編集されたデジタル画像を対象物が身に付けた参照品目上に投影することを含んでもよい。したがって、人物が参照品目を着用している場合、編集された画像をその上に直接投影することができ、人物は投影された画像を鏡で見ることができる。したがって、人物は、画像テンプレートに基づいて作製された衣服を着用しているかのように当該衣服を見ることができ、それを鏡で見ることができる。
【００６１】
撮像画像は、保存することができる。編集されたデジタル画像を対象物が身に付けた参照品目上に表示することは、保存された撮像画像を読み出すことと、編集された撮像画像を、読み出された保存された撮像画像上に表示することとを含んでもよい。
【００６２】
参照品目は、衣服であってもよい。デジタル画像は、衣服のデジタル画像であってもよい。参照品目は、デジタル画像の衣服の種類に対応する種類の衣服であってもよい。たとえば、３部の衣服品目画像は、３つの部に対して作製された参照品目にマッピングされてもよい。この点において、部の数は、品目を構成することができる異なる素材の数、たとえば、編物衣服、３つの編み糸を指す。
【００６３】
参照品目は、２つの異なる素材が参照品目の撮像画像上で視覚的に区別されるように、２つの異なった素材から作製されてもよい。参照品目は、異なった色の素材から作製されてもよい。参照品目は、裸眼では区別できない、異なった紫外線特性を有する素材から作製されてもよい。
【００６４】
撮像画像は、表示された画像と組み合わせる前に修正されてもされなくてもよい。
【００６５】
図１０を参照して、本発明にかかる実施例をさらに説明する。ステップ１００において、カタログ品目のデジタル画像テンプレートを作成、保存する。画像テンプレートは、概して、非参照品目用である。
【００６６】
ステップ１０２において、参照品目用のデジタル画像テンプレートを作成、保存する。
【００６７】
ステップ１０４において、参照品目用デジタルテンプレートに応じて、参照品目を製造する。
【００６８】
ステップ１０６において、製造した参照品目を、対象物に着せる。
【００６９】
ステップ１０８において、対象物が身に付けた参照品目のデジタル画像を撮像、保存する。
【００７０】
ステップ１１０において、対象物が身に付けた参照品目上の取り込んだ参照の印の位置が、配置場所にマッピングされる。
【００７１】
ステップ１１２において、カタログ品目のデジタル画像テンプレートが、読み出される。
【００７２】
ステップ１１４において、カタログ品目上の基準点は、（撮像画像から）身に付けた参照品目上の基準点の配置場所に対応する配置場所にマッピングされる。
【００７３】
ステップ１１６において、カタログ画像のデジタルテンプレートを使用してカタログ画像を編集し、対象物が身に付けた参照品目の撮像画像を適用する。
【００７４】
ステップ１１８において、マッピングは、必要に応じてスケーリングされる。スケーリングは、マッピングにおいて説明され得る。ステップ１１４の前に、任意のスケーリングを適用することができる。
【００７５】
ステップ１２０において、編集されたカタログ画像は、必要に応じて適切にスケーリングされ、対象物像上に表示される。
【００７６】
対象物像が対象物自体ではない場合、たとえば対象物の画像である場合、次にステップ１２２において、編集された画像は、対象物の撮像画像と合成される。対象物像が対象物自体である場合、次にステップ１２４において、編集された画像は、対象物上に投影される。
【００７７】
図１１を参照し、説明された技術を実施するためのシステムの設計例を示す。システム１６０は、プロセッサ１３０および関連するメモリ１３２と、画像撮像ブロック１４２と、マッピングブロック１４４と、カタログ品目のデジタル画像テンプレート保存用の保存ブロック１４８と、参照品目のデジタル画像テンプレート保存用の保存ブロック１５０と、画像生成ブロック１４６とを含む。システムのすべての要素は、通信バス１５４によって相互接続される。
【００７８】
さらに、システム１６０は、カメラ１３４およびビデオカメラ１３６に接続され、カメラ１３４およびビデオカメラ１３６は、画像撮像ブロック１４２に接続される。
【００７９】
さらに、システム１６０は、ディスプレイ１３８、たとえばコンピュータに関連付けられたディスプレイ、および／またはプロジェクタ１４０に接続される。ディスプレイ１３８およびプロジェクタ１４０は、画像生成ブロック１４６に接続される。
【００８０】
さらに、システム１６０は、製造ブロック１５２に接続される。製造ブロック１５２は、保存ブロック１５０の保存デジタル画像テンプレート参照品目に接続することができる。
【００８１】
参照画像およびその関連するデジタル画像は、当該画像が衣服である衣服の図的な色彩プランである。
【００８２】
参照品目が紫外線感受性素材から作製される限り、紫外線感受性素材は、ろ過できないように輝度に影響を与えない。
【００８３】
コンピュータビジョンを使用して、当該プロセスを自動化してもよい。
【００８４】
パターン認識を利用して、点の対応配置場所を自動的に識別してもよい。
【００８５】
品目が衣服である場合、参照衣服の色相または素材特性のパターン認識および識別を使用して、非衣服領域を自動的に隠してもよい。
【００８６】
処理後の対応配置場所を利用してもよく、それにより再マッピングを行う場合、外部装置上で効率的に行うことができる。
【００８７】
好ましくは、点の対応配置場所を得るために使用される参照パターンは、衣服自体に組み込まれてもよい。参照衣服は、組み込まれた参照パターンを含むパターンから作製されてもよい。
【００８８】
追加のマッピングを利用して、異なるサイズの衣服を同じ衣服にマッピングしてもよい。したがって、品目が衣服である場合、マッピングは１つの衣服に対して作成することができ、次に異なる衣服サイズに対してさらにマッピングが作成される。これは、スケーリングの一種の形態とすることができる。
【００８９】
本発明は、特定の例を挙げ説明してきたが、本発明は、これらの例に限定されない。
【００９０】
たとえば、本発明は、対象物が人物である実施例を用いて説明される。しかし、対象物は、いかなる実体ある要素であってもよい。本発明はまた、対象物に適用されるものとして、衣服を用いて説明されるが、概して、任意の品目が対象物に適用されてもよい。
【００９１】
本発明は、以上に示した実施例または実施形態の詳細に限定されず、また本発明は、以上に示した任意の実施例または実施形態の任意の特徴の組み合わせにも限定されない。
【図１】
2018500647.tif 000003
【図２】
2018500647.tif 000004
【図３】
2018500647.tif 000005
【図４】
2018500647.tif 000006
【図５】
2018500647.tif 000007
【図６】
2018500647.tif 000008
【図７】
2018500647.tif 000009
【図８】
2018500647.tif 000010
【図９】
2018500647.tif 000011
【図１０】
2018500647.tif 000012
【図１１】
2018500647.tif 000013
【国際調査報告】
2018500647.tif 000014
2018500647.tif 000015
2018500647.tif 000016